(57)【特許請求の範囲】
【請求項１】
印字に使用するインクを吐出するノズルと、前記ノズルにインクを供給するポンプと、インク流路の開閉を行う電磁弁を備え、
前記電磁弁は、コイルと、前記コイルの中心軸上にあって前記中心軸方向に可動なプランジャと、前記プランジャの下端に固定されインクの流れを止める弁体と、前記プランジャの上方にあって磁力により前記プランジャを吸引する固定コアを備え、前記プランジャの上端が接する空気室と前記電磁弁の外部とを連通させる通気路を有することを特徴とするインクジェット記録装置において、
前記プランジャの上部には凹部が形成され、前記凹部の内部は凹凸形状を有し、前記凹凸形状は前記固定子コアの通気路から電磁弁内部に挿入されるかん合部材とかん合されることを特徴とするインクジェット記録装置。
【請求項２】
請求項１に記載のインクジェット記録装置において、
前記凹凸形状がめねじ形状であることを特徴とするインクジェット記録装置。
【請求項３】
請求項１または請求項２に記載のインクジェット記録装置において、
前記凹部は前記通気路を介して前記電磁弁の外部と直線的に連通することを特徴とするインクジェット記録装置。
【発明の詳細な説明】
【技術分野】
【０００１】
本発明は、被印字物と被接触で印字を行うインクジェット記録装置の電磁弁に関するものである。
【背景技術】
【０００２】
インクジェット記録装置は、印字に使用するインクを吐出するノズルと、前記ノズルにインクを供給するポンプが備えており、前記ノズルと前記ポンプとの間のインク流路中にインクの流れの開閉を行う電磁弁が備えられている（例えば、特許文献１参照）。
【０００３】
前記電磁弁はコイルと、前記コイルの中心軸上にあって前記中心軸方向に可動なプランジャと、前記プランジャの下端に固定されインクの流れを止める弁体と、前記プランジャの上方にあって磁力により前記プランジャを吸引する固定コアと、前記プランジャの上方にあって弾性力により前記プランジャを下方に押し下げる圧縮コイルばねを備えている。
【０００４】
さらに前記電磁弁はインクが前記プランジャの周囲および上部へ侵入し動作を妨害することを防ぐために、一般に前記プランジャの下部に一体的にダイヤフラムを備えインク流路と前記プランジャの周囲の空間とを隔てた構造となっている。また、前記プランジャの動作時にその上方の空気が圧縮・膨張し前記プランジャや前記ダイヤフラムの動作を妨害することを防ぐために前記プランジャ上部の空気室から前記電磁弁の外部へと連通させる通気路が設けられている。前記通気路の一形態として、前記固定コアに前記コイルと同心の貫通穴を設ける構造が従来からある。
【０００５】
一般に前記電磁弁は、インクジェット記録装置の運転中は前記弁体が弁座から離れることにより開いており、停止中は前記弁体が弁座に押し当てられることにより閉じている。装置停止時、前記弁体の近傍にはインクが残留する。この残留インクに含まれる溶剤成分は装置停止後徐々にインク経路に侵入した空気中に揮発し、最終的に前記残留インクは乾燥し前記弁体を弁座に固着させる。このようにして前記弁体が弁座に固着した場合、次回の運転開始時に前記弁体は前記固定コアの吸引力だけでは前記弁体から離れなくなりインク流路が不通となり運転不能となる。
【０００６】
従来のインクジェット記録装置では、前記弁体の固着を修復可能にするため、前記電磁弁は前記電磁弁を固定する取り付け板などから取り外し可能でかつ前記弁体が外部に露出するまで分解が可能な構造としている。この従来方式によると前記弁体が固着した際には、前記電磁弁を取り外し前記弁体が外部に露出するまで分解した後、前記弁体や弁座に付着したインクを溶剤などで洗い流し再び組み立てることで固着を修復することができる。
【０００７】
【特許文献１】特開２００４−３２２５５８号公報
【発明の開示】
【発明が解決しようとする課題】
【０００８】
前記の従来方式によると、前記弁体の固着の修復の際に前記電磁弁の取り外し、分解、組み立て作業を要するため、１分程度の短時間で修復作業を終了させることは困難であり、またインク漏れを防止するため前記電磁弁と前記取り付け板との間に挿入されているシール材が欠落、変形し、運転開始時にインク漏れが発生する恐れがある。
【０００９】
本発明では前記電磁弁を取り外し・分解することなく前記弁体の固着の修復を可能とすることを目的とする。
【課題を解決するための手段】
【００１０】
前記課題を解決するために本発明のインクジェット記録装置は、前記プランジャの上部に凹凸形状を設けている。
【発明の効果】
【００１１】
本発明によると、前記弁体が固着した際、前記電磁弁上方から前記電磁弁内部に前記凹凸形状にかん合する部材を挿入しかん合させた後、引き上げることにより前記電磁弁の取り外し・分解することなく固着の修復を行うことができる。
【発明を実施するための最良の形態】
【００１２】
以下、本発明の実施例について図を用いて説明する。
【実施例１】
【００１３】
図２を用いて本発明のインクジェット記録装置の全体構造について説明する。制御部やインク貯蔵部を備える本体９００と、印字に使用されるインクを吐出するノズルを備える印字ヘッド９１０と、本体と印字ヘッドをつなぐ印字ヘッドケーブル９２０で構成される。本体正面にはタッチパネル式液晶表示装置９３０が備えられており、タッチパネル式液晶表示装置によってオペレーターは印字内容や設定内容を確認・入力を行うことができる。
【００１４】
図３を用いて本発明のインクジェット記録装置の本体内部構造について説明する。本体内部は、上部に制御部８００、下部にインク貯蔵部８５０と分離した構造になっている。制御部にはインク噴出制御、印字制御などを行う制御基板８０２や制御基板に電流を供給する電源８０１、タッチパネル式液晶表示装置９３０などが設置されている。インク貯蔵部にはインクの流路を形成する流路ボード８５１が設置され、流路ボードにはインクを貯蔵するインク容器８５２、インクを圧送するポンプ８５３、インクの流れの開閉を行う電磁弁８５４が取り付けられている。
【００１５】
図１に本発明の特徴を最も良く表した電磁弁の内部構造図である。まず最初に電磁弁の構造について説明する。ボビン１０１に導線１０２が巻かれて形成されたコイル１０３の内部に、コイルの軸方向１０４に可動なプランジャ１１０が備えられている。プランジャの下部には圧入部材１１１がダイヤフラム１１２を挟み込んで圧入されており、圧入部材の下部には弁体１１３が焼き付けられている。また、プランジャ上部には、めねじ１１９が設けられている。ダイヤフラムはインク流路１１５とプランジャの周囲空間とを隔てている。
【００１６】
プランジャの上方には固定コア１２０が備えられ固定コアはヨーク１２１にかしめて固定されている。ヨークはベース１２２にかしめて固定されている。プランジャ、固定コア、ヨーク、ベースはいずれも軟磁性体である。プランジャと固定コアの間には圧縮コイルばね１２３が備えられている。ベースは流路ベース１２５にねじ１２６で固定されている。
【００１７】
次に電磁弁の動作について説明する。コイルに通電されていないとき、プランジャは圧縮コイルばねの弾性力により下方に押し下げられる。このとき弁体は弁座１３０に押し付けられインク流路を閉鎖する。一方コイルに通電されたとき固定コアとプランジャは磁化され吸引力が生じ、プランジャが吸引力により引き上げられる。このとき弁体は弁座から離れインク流路を開放する。
【００１８】
次に電磁弁の固着とその修復方法について説明する。装置運転時インク流路は開放されインクが流れるが装置停止時インク流路は閉鎖され弁体近傍にインクが残留する。残留インクの溶剤成分は時間が経つにつれ徐々にインク流路に侵入した空気中に揮発し、最終的にはインクは乾燥し弁体と弁座を固着させる。
【００１９】
弁体が固着すると固定コアの吸引力だけではプランジャは引き上げられず、装置の運転を開始しても弁体は閉鎖したままとなり運転不能となる。弁体の固着の修復方法としては、おねじ１４０を有するかん合部材１４１を固定コアの通気路から電磁弁内部に挿入しプランジャのめねじとかん合させ引き上げることにより弁体と弁座を引き離し固着を修復することができる。
【００２０】
図４は本発明の他の実施形態である電磁弁の内部構造を示している。プランジャにはかん合用にめねじの替わりに横穴１５０を有する突起１５１が設けられている。固着の修復の際には、かん合形状１６０を有するかん合部材Ｂ１６１を固定コアの通気路から電磁弁内部に挿入しプランジャの突起とかん合させ引き上げることにより弁体と弁座を引き離し固着を修復できる。
【図面の簡単な説明】
【００２１】
【図１】本発明の一実施形態であるインクジェット記録装置の電磁弁の構造図である。
【図２】本発明の一実施形態であるインクジェット記録装置の構造概観図である。
【図３】本発明の一実施形態であるインクジェット記録装置の本体内部構造の概念図である。
【図４】本発明の一実施形態であるインクジェット記録装置の電磁弁の構造図である。
【符号の説明】
【００２２】
１０１…ボビン、１０２…導線、１０３…コイル、１０４…コイルの軸方向、１１０…プランジャ、１１１…圧入部材、１１２…ダイヤフラム、１１３…弁体、１１５…インク流路、１１９…めねじ、１２０…固定コア、１２１…ヨーク、１２２…ベース、１２３…圧縮コイルばね、１２５…流路ベース、１２６…ねじ、１２９…通気路、１３０…弁座、１４０…おねじ、１４１…かん合部材、１５０…横穴、１５１…突起、１６０…かん合形状、１６１…かん合部材Ｂ
【図１】
0005147437.tif 000002
【図２】
0005147437.tif 000003
【図３】
0005147437.tif 000004
【図４】
0005147437.tif 000005